(57)【要約】【課題】いわゆるプログラム登録における操作性を改善する。【解決手段】複数の音声ファイルが記録された記録手段を備えたオーディオ装置において、所定の操作面上の各所定位置への指先の到来を検出し、該到来を検出した位置に応じて異なる第１及び第２の操作入力として受け入れる入力受入れ手段と、各第１操作入力に応答し、前記音声ファイルのうちの選択中のものを、所定の順序における次の音声ファイルに変更する選択変更手段（ステップ５２、５４）と、各第２操作入力に応答し、前記選択中の音声ファイルを登録する選択ファイル登録手段（ステップ５６、５７）と、登録した各音声ファイルを再生する手段とを設ける。【選択図】図３
2007172760.tif 000002
【特許請求の範囲】
【請求項１】
複数の音声ファイルが記録された記録手段と、
所定の操作面上の各所定位置への指先の到来を検出し、該到来を検出した位置に応じて異なる第１及び第２の操作入力として受け入れる入力受入れ手段と、
各第１操作入力に応答し、前記音声ファイルのうちの選択中のものを、所定の順序における次の音声ファイルに変更する選択変更手段と、
各第２操作入力に応答し、前記選択中の音声ファイルを登録する選択ファイル登録手段と、
登録した各音声ファイルを再生する手段とを具備することを特徴とするオーディオ再生装置。
【請求項２】
前記入力受入れ手段は同様にして、さらに第３の操作入力を受け入れるものであり、
前記オーディオ装置は、各第３操作入力に応答し、前記音声ファイルのうちの選択中のものを、前記所定の順序における１つ前の音声ファイルに変更する他の選択変更手段を備えることを特徴とする請求項１に記載のオーディオ再生装置。
【請求項３】
前記選択中の音声ファイルの変更及び登録を行うための操作入力の受入れを許容する動作モードへ移行するための操作手段を有することを特徴とする請求項１又は２に記載のオーディオ再生装置。
【請求項４】
前記入力受入れ手段は光学式センサ又は静電容量センサにより前記各所定位置への指先の到来を検出するものであることを特徴とする請求項１〜３のいずれか１項に記載のオーディオ再生装置。
【請求項５】
複数の音声ファイルが記録された記録手段と、
所定の操作面上の各所定位置への指先の到来を検出し、該到来を検出した位置に応じて異なる第１及び第２の操作入力として受け入れる入力受入れ手段とを備えたオーディオ再生装置におけるオーディオ再生方法であって、
各第１操作入力に応答し、前記音声ファイルのうちの選択中のものを、所定の順序における次の音声ファイルに変更する選択ファイル変更工程と、
各第２操作入力に応答し、前記選択中の音声ファイルを登録する選択ファイル登録工程と、
登録した各音声ファイルを再生する再生工程とを具備することを特徴とするオーディオ再生方法。
【請求項６】
前記入力受入れ手段は同様にして、さらに第３の操作入力を受け入れるものであり、
前記オーディオ再生方法は、各第３操作入力に応答し、前記音声ファイルのうちの選択中のものを、前記所定の順序における１つ前の音声ファイルに変更する他の選択ファイル変更工程を備えることを特徴とする請求項５に記載のオーディオ再生装置。
【請求項７】
前記選択ファイル変更工程及び選択ファイル登録工程を許容する動作モードへ移行するための操作を受け入れる工程を有することを特徴とする請求項５又は６に記載のオーディオ再生方法。
【発明の詳細な説明】
【技術分野】
【０００１】
本発明は、複数の音声ファイルのうち所望のものを登録し、登録した音声ファイルを再生することができるようにしたオーディオ再生装置及びオーディオ再生方法に関する。
【背景技術】
【０００２】
ポータブルオーディオ機器等における再生モードとして、１曲ずつ順次再生してゆく通常の再生モードの他、ユーザの便宜を考慮した種々の再生モードが知られている。そのうちの１つに、予め所望の楽曲を選択して登録するプログラム登録を行っておき、登録した楽曲を任意のときに順次再生するプログラム再生がある。プログラム登録を行う場合としては、楽曲を再生しているときに再生中の楽曲を登録する場合と、再生を行っていないときに楽曲を選択して行う場合とがある。
【０００３】
再生中の楽曲のプログラム登録は、たとえば、再生中の楽曲の再生画面において、モードキー又はポップアップメニューキーを押下し、表示される選択項目から「プログラム登録」を選択することにより行うことができる。再生停止中におけるプログラム登録は、楽曲リストを表示させ、登録したい楽曲を選択し、モードキー又はポップアップメニューキーを押下し、さらに「プログラム登録」を選択することにより行うことができる。
【０００４】
図１２は従来のポータブルオーディオ機器におけるプログラム登録を行うための処理を例示するフローチャートである。この処理は、プログラム登録を行うことができる楽曲のリストが表示されている状態において繰り返し実行される。処理の開始時には、リスト中の１つの楽曲が、所定の選択位置に位置しており、選択中となっている。
【０００５】
処理を開始すると装置はまず、ステップ１２１及び１２２において、スキップアップキー又はスキップダウンキーが押下されたか否かを判定する。スキップアップキーが押下されたと判定した場合にはステップ１２３において次の楽曲へスキップし、ステップ１２５へ進む。次の楽曲へスキップするということは、表示中の楽曲リストを１曲分上方へスクロールさせ、選択中の楽曲を次の楽曲に変更することを意味する。スキップダウンキーが軽押しされたと判定した場合にはステップ１２４において１つ前の楽曲へスキップし、ステップ１２５へ進む。１つ前の楽曲へスキップするということは、表示中の楽曲リストを１曲分下方へスクロールさせ、選択中の楽曲を１つ前の楽曲に変更することを意味する。スキップアップキー及びスキップダウンキーのいずれも押下されなかったと判定した場合には、そのままステップ１２５へ進む。
【０００６】
ステップ１２５では、モードキーが押下されたか否かを判定する。押下されなかったと判定した場合にはそのまま図１２の処理を終了する。押下されたと判定した場合にはステップ１２６において、プログラム登録モードの選択操作がなされたか否かを判定する。選択操作とは、選択及びその選択の確定を行う操作を意味する。該選択操作がなされなかったと判定した場合には、そのまま図１２の処理を終了する。該選択操作がなされたと判定した場合には、選択中の楽曲についてプログラム登録を行い、図１２の処理を終了する。
【０００７】
これによれば、ユーザは、スキップアップキー又はスキップダウンキーを操作して所望の楽曲を選択し、モードキーを押下してプログラム登録モードの選択操作を行うという操作を繰り返すことによって、所望の楽曲についてのプログラム登録を行うことができる。
【０００８】
また、特許文献１には、ユーザの指示に応じてプログラムのタイトルやアーティスト・ネームを選択項目として表示し、選択されたプログラムのプログラムプレイリストを作成し、その後、選択されたプログラムプレイリストに基づく再生を行うことにより、ユーザの好みのプログラムのみを再生することを可能にした再生装置が記載されている。また、同文献には、検索条件、たとえば特定のアーティスト名を指定させ、検索条件に合致するプログラムをプレイリストに登録するようにした技術も記載されている。
【０００９】
【特許文献１】特開２００２−３１３０７０号公報
【発明の開示】
【発明が解決しようとする課題】
【００１０】
しかしながら、上述従来のポータブルオーディオ機器等によれば、プログラム登録等の操作に際しては、キーの押下時間や押下回数により区別して異なる指示を与えたり、モードキーの押下により各種設定モードに移行し、その設定モードにおける表示メニューから所望の機能を選択したりする必要がある。このため、使い勝手の面で問題がある。
【００１１】
特にポータブルオーディオ機器の場合、キーの数を節約する必要があるので、同一操作キーに対し、長押し、短押し、又は複数回押下等の押下方法により区別される異なる操作機能を付与したり、設定項目をモードキーで選択すること等により機能を選択したりすることが多用されている。したがって、アルバム等の切替え行うためにどのような操作をしたらよいのかが分かり難い。中でも、再生中の楽曲のプログラム登録に際しては、楽曲の登録を行う度にモードキー等を押下し、かつプログラム登録を行う旨を選択する必要があり、操作が煩雑で分かり難いという問題がある。
【００１２】
本発明の目的は、このような従来技術の問題点に鑑み、オーディオ再生装置において、プログラム登録における操作性を改善することにある。
【課題を解決するための手段】
【００１３】
上記目的を達成するため、第１の発明に係るオーディオ再生装置は、複数の音声ファイルが記録された記録手段と、所定の操作面上の各所定位置への指先の到来を検出し、該到来を検出した位置に応じて異なる第１及び第２の操作入力として受け入れる入力受入れ手段と、各第１操作入力に応答し、前記音声ファイルのうちの選択中のものを、所定の順序における次の音声ファイルに変更する選択変更手段と、各第２操作入力に応答し、前記選択中の音声ファイルを登録する選択ファイル登録手段と、登録した各音声ファイルを再生する手段とを具備することを特徴とする。
【００１４】
第２の発明に係るオーディオ再生装置は、第１発明において、前記入力受入れ手段は同様にして、さらに第３の操作入力を受け入れるものであり、前記オーディオ装置は、各第３操作入力に応答し、前記音声ファイルのうちの選択中のものを、前記所定の順序における１つ前の音声ファイルに変更する他の選択変更手段を備えることを特徴とする。
【００１５】
第３の発明に係るオーディオ再生装置は、第１又は第２発明において、前記選択中の音声ファイルの変更及び登録を行うための操作入力の受入れを許容する動作モードへ移行するための操作手段を有することを特徴とする。
【００１６】
第４の発明に係るオーディオ再生装置は、第１〜第３のいずれかの発明において、前記入力受入れ手段は光学式センサ又は静電容量センサにより前記各所定位置への指先の到来を検出するものであることを特徴とする。
【００１７】
第５の発明に係るオーディオ再生方法は、複数の音声ファイルが記録された記録手段と、所定の操作面上の各所定位置への指先の到来を検出し、該到来を検出した位置に応じて異なる第１及び第２の操作入力として受け入れる入力受入れ手段とを備えたオーディオ再生装置におけるオーディオ再生方法であって、各第１操作入力に応答し、前記音声ファイルのうちの選択中のものを、所定の順序における次の音声ファイルに変更する選択ファイル変更工程と、各第２操作入力に応答し、前記選択中の音声ファイルを登録する選択ファイル登録工程と、登録した各音声ファイルを再生する再生工程とを具備することを特徴とする。
【００１８】
第６の発明に係るオーディオ再生方法は、第５発明において、前記入力受入れ手段は同様にして、さらに第３の操作入力を受け入れるものであり、前記オーディオ再生方法は、各第３操作入力に応答し、前記音声ファイルのうちの選択中のものを、前記所定の順序における１つ前の音声ファイルに変更する他の選択ファイル変更工程を備えることを特徴とする。
【００１９】
第７の発明に係るオーディオ再生方法は、第５又は第６発明において、前記選択ファイル変更工程及び選択ファイル登録工程を許容する動作モードへ移行するための操作を受け入れる工程を有することを特徴とする。
【発明の効果】
【００２０】
本発明によれば、いわゆるプログラム登録における操作性を改善することができる。
【発明を実施するための最良の形態】
【００２１】
図１は本発明の一実施形態に係るハードディスク内臓型ポータブル再生装置の構成を示すブロック図である。同図に示すように、この装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００２２】
図２は図１の装置の前面を示す。同図において、２１は表示部１３を構成する液晶ディスプレイ、２２は入力部１４を構成する光学式操作キー、２３は同様に入力部１４を構成するメニューキー、２４は音声出力部１５を構成するヘッドホンである。メニューキー２３は押下することによって操作するものであり、主に各種のメニューを表示させるために用いられる。光学式操作キー２２は、所定の操作面上の各所定位置への指先の到来を検出し、該到来を検出した位置に応じて異なる複数の操作入力として受け入れるためのものである。
【００２３】
すなわち光学式操作キー２２は、その長さ方向に並ぶ３つの部分のいずれかに指先を置き、ずらし、又は触れる（以下、「タッチする」という。）ことにより、タッチする部分に応じて異なる３種類の操作入力を行うことができるようになっている。また、光学式操作キー２２を長さ方向に指でなぞるようにすることによって、さらにもう１種類の操作入力を行うことができるようにしてもよい。上記３つの部分として、光学式操作キー２２の中央付近に位置する中央部ｍ、右端部付近に位置する右端部ａ、及び左端部付近に位置する左端部ｂが設定されている。
【００２４】
図３は光学式操作キー２２の構成を示す。同図（ａ）は光学式操作キー２２の操作面を構成するカバーを外した様子を示している。同図のように、光学式操作キー２２は、その長さ方向に沿い、かつ操作面に対してレンズ面が対向するように１列に並べられた多数の凸レンズ３１を備える。同図（ｂ）は光学式操作キー２２の側方から見た様子を示す。同図のように、光学式操作キー２２には、各レンズ３１に付随して発光部３２及び受光部３３が設けられている。
【００２５】
発光部３２からの光がレンズ３１を介して照射され、レンズ３１の近傍に指先が存在すると、その指先により照射光が反射される。その反射光を、レンズ３１を介して受光部３３によって受光することにより、指先の存在を検出することができるようになっている。したがって、制御部１１は、光学式操作キー２２の中央部ｍ、右端部ａ、又は左端部ｂに対応する部分の受光部３３が指先の存在を検出したとき、その検出信号に基づき、中央部ｍ、右端部ａ、又は左端部ｂのタッチによる操作入力がなれたことを認識することができる。また、各受光部３３における指の検出タイミングが所定のパターンを示したとき、たとえば所定の時間間隔で左端部ｂ、中央部ｍ、及び右端部ａの受光部３３が指先の到来を検出したとき、光学式操作キー２２を指でなぞる操作入力（以下、「なぞり操作」という。）がなされたことを認識することができる。
【００２６】
ハードディスク１２には制御部１１が再生し得る音楽ファイルが記録されている。図４はこの音楽ファイルを所定の方法で区分した様子を示す。各音楽ファイルに付随するアルバム名、アーティスト名、ジャンル名等の情報に基づき、同図のように、各音楽ファイルはアルバム毎に区分することができる。また、各アルバムはさらにアーティスト毎に区分し、各アーティストはジャンル毎に区分することができる。実際には、各区分はハードディスク１２内の各フォルダ（又はディレクトリ）に対応しており、その階層構造における最下位の各フォルダ（アルバム）内に対応する音楽ファイルが格納されている。ユーザはこのような各区分を単位として再生範囲を指定することができる。
【００２７】
たとえば、図４の階層構造において、ジャンルαに含まれる全アーティストの音楽ファイルをすべて再生する場合は、液晶ディスプレイ２１上にジャンル選択画面を表示させ、ジャンルαを選択し、再生の指示を与えればよい。アーティストＢに含まれる全音楽ファイルを再生する場合は、ジャンルαの選択及び上述のなぞり操作により表示されるアーティスト選択画面において、アーティストＢを選択し、再生の指示を与えればよい。アルバムｃに含まれる全音楽ファイルを再生する場合は、アーティストＢの選択及びなぞり操作により表示されるアルバム選択画面において、アルバムｃを選択し、再生の指示を与えればよい。アルバムｃ中の音楽ファイル３を再生したい場合には、アルバムｃの選択及びなぞり操作により表示される音楽ファイルの選択画面において、音楽ファイル３を選択し、再生の指示を与えればよい。再生指示は、光学式操作キー２２の中央部ｍの押下やニューキー２３の押下によって行うことができる。
【００２８】
ジャンル選択画面の表示は、たとえば、メニューキー２３を押下し、選択項目中の「ジャンル」を選択してなぞり操作を行うことにより行うことができる。ジャンル選択画面において所望のジャンルを選択し、なぞり操作を行うことにより、より下位のアーティスト等の選択画面を表示させることができる。各選択画面における選択項目の選択は、選択項目の一覧をスクロールさせることにより行うことができる。たとえばアルバムｃの音楽ファイル３を選択する場合には、アルバムｃの選択及びなぞり操作により表示される下位の音楽ファイルの選択画面において、「音楽ファイル１」、「音楽ファイル２」、・・・の選択項目の表示をスクロールさせ、画面上の所定の選択位置、たとえば最上部に「音楽ファイル３」を位置させることにより行うことができる。スクロールは光学式操作キー２２の右端部ａ又は左端部ｂをタッチすることにより行うことができる。スクロールの方向は右端部ａ又は左端部ｂのいずれをタッチするかによって区別することができる。選択した音楽ファイルの楽曲（以下、単に「楽曲」という。）は、上述の再生指示を行うことにより再生させることができる。再生指示がなされると、制御部１１は選択されている音声ファイルに基づく再生を行い、音声信号を音声出力部１５に出力する。音声出力部１５はこの音声信号を音波に変換して出力する。
【００２９】
図５は制御部１１による処理の一部を示すフローチャートである。この処理は、プログラム登録モードを選択し得る状態において実行される。このような状態は、たとえば、楽曲の再生中にメニューキー２３が押下され、表示されたメニュー中に選択項目として「プログラム登録モード」が存在する場合が該当する。
【００３０】
処理を開始すると、制御部１１は、まずステップ５１において、プログラム登録モードへの移行操作がなされたか否かを判定する。プログラム登録モードへの移行操作はたとえば、メニュー中の選択項目から「プログラム登録モード」を選択し、光学式操作キー２２の中央部ｍをタッチし、又はメニューキー２３を押下することにより行うことができる。プログラム登録モードへの移行操作がなされなかったと判定した場合は図５の処理を終了する。該移行操作がなされたと判定した場合にはプログラム登録モードへ移行し、ステップ５２へ進む。
【００３１】
プログラム登録モードへ移行する場合、液晶ディスプレイ２１には、現在選択されている楽曲の曲名（音楽ファイル名）及び所定の順序でそれに引き続くいくつかの楽曲の曲名が選択項目として表示される。現在選択されている楽曲としては、たとえば楽曲の再生中にプログラム登録モードへ移行した場合、再生中であった楽曲が該当する。
【００３２】
ステップ５２及び５３においては、光学式操作キー２２の右端部ａ又は左端部ｂのタッチの有無を判定する。右端部ａがタッチされたと判定した場合にはステップ５４において次の楽曲へスキップし、ステップ５６へ進む。次の楽曲へスキップするということは、液晶ディスプレイ２１上の各楽曲名の表示を１曲分上方へスクロールさせ、選択中の楽曲を次の楽曲に変更することを意味する。左端部ｂがタッチされたと判定した場合にはステップ５５において１つ前の楽曲へスキップし、ステップ５６へ進む。１つ前の楽曲へスキップするということは、液晶ディスプレイ２１上の各楽曲名の表示を１曲分下方へスクロールさせ、選択中の楽曲を１つ前の楽曲に変更することを意味する。右端部ａ又は左端部ｂのいずれもタッチされなかったと判定した場合には、そのままステップ５６へ進む。
【００３３】
ここで、「次の楽曲」及び「１つ前の楽曲」とは、たとえば音楽ファイル名及びフォルダ名によりソートした順序で見た場合の次の楽曲及び１つ前の楽曲が該当する。図４の階層構造がこのようなソート順で示されているとすれば、アルバムａ中の音楽ファイル４の楽曲の次の楽曲は、アルバムｂ中の音楽ファイル１の楽曲となる。なお、プログラム登録モードへの移行時には、たとえばその時点において再生されていた楽曲が選択されており、この楽曲を基準として次又は１つ前の楽曲が決定される。
【００３４】
ステップ５６では、光学式操作キー２２の中央部ｍのタッチの有無を判定する。タッチされなかったと判定した場合にはそのままステップ５８へ進み、タッチされたと判定した場合にはステップ５７において、選択されている楽曲についてプログラム登録を行い、ステップ５８に進む。
【００３５】
ステップ５８では、プログラム登録モードの終了か否かを判定する。終了でないと判定した場合にはステップ５２へ戻り、終了であると判定した場合には、プログラム登録モードを解除し、図５の処理を終了する。たとえば、メニューキー２３の押下があった場合にはプログラム登録モードの終了と判定される。図５の処理を終了した後、ユーザは、たとえばメニューキー２３の押下により表示されるメニュー中の選択項目として表示されている「プログラム再生」を選択し、再生指示を行うことにより、プログラム登録を行った楽曲の再生を行うことができる。
【００３６】
これによれば、プログラム登録モードへ移行した後、光学式操作キー２２の右端部ａ又は左端部ｂをタッチして楽曲をスキップさせながら、所望の楽曲を選択し、中央部ｍをタッチするだけで、所望の楽曲について順次プログラム登録を行ってゆくことができる。その間、メニュー表示を行う必要はない。つまり、指先を光学式操作キー２２の操作面上でスライドさせるだけで、かつ従来よりも少ない操作により、容易にプログラム登録を行うことができる。
【００３７】
なお、図５の処理中、選択中の楽曲を再生することにより、その楽曲についてプログラム登録を行うか否かのユーザによる判断が容易となる。この場合、ユーザは液晶ディスプレイ２１を見る必要なく、光学式操作キー２２の右端部ａ、左端部ｂ、又は中央部ｍをタッチするだけで、選択中の各楽曲を聴いて確認しながら、プログラム登録を行ってゆくことができる。
【００３８】
図６は上述の光学式操作キー２２の代わりに採用し得る、図３のものとは異なる方式の光学式操作キーを例示する。この光学式操作キーはプリズム６１、プリズム６１内に光線を入射させる光源６２、光源６２からの光線によりプリズム６１を介して照明される指先６３の像を、プリズム６１を介して取得し、投影する凸レンズ６４、凸レンズ６４によって投影される指先６３の像を撮像する撮像素子６５を備える。
【００３９】
図７はプリズム６１を、指先６３でタッチされる操作面側から見た様子を示す。同図のように、プリズム６１の操作面には中央部６６、上端部６７、下端部６８、右端部６９、及び左端部７０が設定されている。制御部１１は撮像素子６５からの映像信号に基づき、中央部６６、上端部６７、下端部６８、右端部６９、又は左端部７０のいずれが指先によりタッチされたかを識別することができる。したがって、これら５つの部分６６〜７０のうちの、たとえば部分６６、６９、及び７０に対し、図２の光学式操作キー２２の場合と同様の入力操作機能を割り当てることができる。この場合、部分６７及び６８に対しては別の操作機能、たとえばメニューをスクロールさせる機能を割り当てることができる。
【００４０】
図８（ａ）は光学式操作キー２２の代わりに用いることができるさらに別の方式による光学式操作キー８１を示す。同図においては、十字型の形状を有する光学式操作キー８１のカバーの形状が示されている。図中の図２と同一の符号は図２の場合と同様の要素を示す。光学式操作キー８１は図８（ｂ）に示すように、タッチ部分８２〜９０を有する。タッチ部分８２〜９０のいずれかを指先でタッチすることによって、タッチしたタッチ部分８２〜９０に応じ、異なる種類の操作入力を行うことができるように構成されている。
【００４１】
図９は光学式操作キー８１を構成する各光学センサの配置を示す。光学式操作キー８１は上述のタッチ部分８２〜９０のそれぞれに対応させて配置した９個の光学センサ９１を有する。光学式操作キー８１の中央には、１つの光学センサ９１で構成された光学センサキー９２が配置され、その上下左右には、それぞれ２つの光学センサ９１で構成された光学センサキー９３が配置されている。
【００４２】
図１０（ａ）及び（ｂ）はそれぞれ光学センサキー９２を装置の前面及び側面側から見た様子を示す。図１３（ａ）及び（ｂ）はそれぞれ光学センサキー９３を装置の前面及び側面側から見た様子を示す。各光学センサ９１は発光機能及び受光機能を備え、発光した光９４の指先による反射光９５を受光することにより、対応するタッチ部分８２〜９０がタッチされていることを検出することができる。
【００４３】
したがって、たとえば、タッチ部分８２〜８４には、図２の光学式操作キー２２における中央部ｍ、右端部ａ及び左端部ｃと同様の入力操作機能を割り当てることができる。他のタッチ部分８５〜９０には他の機能、たとえばメニューをスクロールしたり、他のジャンルにスキップしたりする操作機能を割り当てることができる。
【００４４】
なお、本発明は上述の実施形態に限定されることなく適宜変形して実施することができる。たとえば、上述においては、操作キーとして、光学式操作キー２２や８１を例として説明したが、これに限らず、静電容量センサを利用した操作キーを用いるようにしてもよい。また、上述においては、ハードディスクに音楽ファイルを格納するようにしているが、半導体メモリに音楽ファイルを格納するようにしてもよい。
【図面の簡単な説明】
【００４５】
【図１】本発明の一実施形態に係るハードディスク内臓型ポータブル再生装置の構成を示すブロック図である。
【図２】図１の装置の前面を示す図である。
【図３】図１の装置の光学式操作キーの構成を示す図である。
【図４】図１の装置のハードディスクに記録されている音楽ファイルを所定の方法で区分した様子を示す図である。
【図５】図１の装置における制御部による処理の一部を示すフローチャートである。
【図６】図１の装置の光学式操作キーとして採用し得る、図３のものとは異なる方式の光学式操作キーを例示する図である。
【図７】図６の光学式操作キーにおけるプリズムを操作面側から見た様子を示す図である。
【図８】さらに別の方式による光学式操作キーを示す図である。
【図９】図８の光学式操作キーを構成する各光学センサの配置を示す図である。
【図１０】図８の光学式操作キーを構成する光学センサキーを装置の前面及び側面側から見た様子を示す図である。
【図１１】図８の光学式操作キーを構成する別の光学センサキーを装置の前面及び側面側から見た様子を示す図である。
【図１２】従来のポータブルオーディオ再生装置における処理の一部を例示するフローチャートである。
【符号の説明】
【００４６】
１１：制御部、１２：ハードディスク、１３：表示部、１４：入力部、１５：音声出力部、２１：液晶ディスプレイ、２２，６２，８１：光学式操作キー、２３：メニューキー、２４：ヘッドホン、３１：凸レンズ、３２：発光部、３３：受光部、６１：プリズム、６２：光源、６３：指先、６４：凸レンズ、６５：撮像素子、６６：中央部、６７：上端部、６８：下端部、６９：右端部、７０：左端部、８２〜９０：タッチ部分、９１：光学センサ、９２，９３：光学センサキー、９４：発光光、９５：反射光、ａ：右端部、ｂ：左端部、ｍ：中央部。
【図１】
2007172760.tif 000003
【図２】
2007172760.tif 000004
【図３】
2007172760.tif 000005
【図４】
2007172760.tif 000006
【図５】
2007172760.tif 000007
【図６】
2007172760.tif 000008
【図７】
2007172760.tif 000009
【図８】
2007172760.tif 000010
【図９】
2007172760.tif 000011
【図１０】
2007172760.tif 000012
【図１１】
2007172760.tif 000013
【図１２】
2007172760.tif 000014